(57)【要約】【課題】複数の災害事案が同時に発生しても、各災害事案の消防救急活動を行っている消防士同士の情報共有を可能にする消防指令システムを提供する。【解決手段】消防本部の司令員からの指令に関する音声情報と災害事案の消防救急活動を行う消防士からの音声情報との送受信動作を制御する消防指令制御装置１０と司令員と消防士との間で送受信される音声情報を災害事案ごとまたは同一の災害事案に関する災害地点ごとに夫々異なる消防デジタル無線の周波数を利用して送受信する動作を制御する消防デジタル無線回線制御装置２０とを有し、夫々異なる周波数を用いて送受信される音声情報の全てをミキシングして情報共有用音声情報として一つに纏めた音声情報を、情報共有用周波数として予め定めた消防デジタル無線の周波数を用いて消防士が使用する消防デジタル無線用の無線機や地域の消防団員が使用する消防デジタル無線用の無線機に対して送信する。【選択図】図３
2020088869.tif 000002
【特許請求の範囲】
【請求項１】
発生した災害事案の消防救急活動を行う消防士に対する消防本部の司令員からの指令を音声情報として送信し、
前記司令員からの前記指令に関する音声情報と前記消防士からの音声情報との送受信動作を制御する消防指令制御装置と、
前記司令員と前記消防士との間で送受信される音声情報を、前記災害事案ごとまたは同一の前記災害事案に関する災害地点ごとにそれぞれ異なる消防デジタル無線の周波数を利用して消防デジタル無線通信方式により送受信する動作を制御する消防デジタル無線回線制御装置と、
を有し、
前記消防指令制御装置は、前記災害事案ごとまたは同一の前記災害事案に関する前記災害地点ごとにそれぞれ異なる周波数を用いて前記司令員と前記消防士との間で送受信される音声情報をミキシングして一つの音声情報に纏めて情報共有用音声情報として生成し、
消防デジタル無線回線制御装置は、生成した該情報共有用音声情報を、情報共有用周波数としてあらかじめ定めた消防デジタル無線の周波数を用いて、前記消防士が使用する消防デジタル無線用の無線機に対して送信する、
ことを特徴とする消防指令システム。
【請求項２】
前記情報共有用音声情報を、前記災害事案に対する消防団活動を行う地域の消防団の消防団員が使用する消防デジタル無線用の無線機に対して前記情報共有用周波数を用いて送信する、
ことを特徴とする請求項１に記載の消防指令システム。
【請求項３】
前記情報共有用周波数を用いて、前記災害事案に対する消防団活動を行う地域の消防団の消防団員と前記司令員との間で音声情報を送受信する、
ことを特徴とする請求項１または２に記載の消防指令システム。
【請求項４】
前記情報共有用音声情報を生成する際に、前記災害事案ごとまたは同一の前記災害事案に関する災害地点ごとに送受信される音声情報の全てではなく、前記司令員により指定された音声情報を選択して、選択された音声情報をミキシングして一つの音声情報に纏めて前記情報共有用音声情報として生成する、
ことを特徴とする請求項１ないし３のいずれかに記載の消防指令システム。
【請求項５】
前記情報共有用音声情報を生成する際に、前記災害事案ごとまたは同一の前記災害事案に関する災害地点ごとにそれぞれ送受信される上り方向と下り方向との双方向の音声情報をミキシングして一つの音声情報に纏めて上下音声情報として生成した後、前記災害事案ごとまたは同一の前記災害事案に関する災害地点ごとのそれぞれの前記上下音声情報をミキシングして一つの音声情報に纏めて前記情報共有用音声情報として生成する、
ことを特徴とする請求項１ないし４のいずれかに記載の消防指令システム。
【請求項６】
前記情報共有用音声情報を生成する情報共有用音声ミキシング手段を、前記消防指令制御装置内に備えている、
ことを特徴とする請求項１ないし５のいずれかに記載の消防指令システム。
【請求項７】
前記災害事案ごとまたは同一の前記災害事案に関する前記災害地点ごとのそれぞれの前記上下音声情報を生成する上下音声情報ミキシング手段を、前記消防デジタル無線回線制御装置内に備え、
かつ、
前記上下音声情報ミキシング手段によって生成された前記災害事案ごとまたは同一の前記災害事案に関する前記災害地点ごとのそれぞれの前記上下音声情報をミキシングして一つの音声情報に纏めて前記情報共有用音声情報として生成する情報共有用音声ミキシング手段を、前記消防指令制御装置内に備えている、
ことを特徴とする請求項５に記載の消防指令システム。
【請求項８】
発生した災害事案の消防救急活動を行う消防士と消防本部の司令員との間で消防デジタル無線通信方式により送受信される音声情報の送受信動作を制御し、
前記災害事案ごとまたは同一の前記災害事案に関する災害地点ごとにそれぞれ異なる周波数を用いて前記消防士と前記司令員との間で送受信される音声情報をミキシングして一つの音声情報に纏めて情報共有用音声情報として生成する情報共有用音声ミキシング回路、を有し、
前記情報共有用音声情報を、あらかじめ定めた任意数の情報共有用周波数に対応する個数の情報共有用消防無線回線を介して送出する、
ことを特徴とする消防指令制御装置。
【請求項９】
発生した災害事案の消防救急活動を行う消防士と消防本部の司令員との間で送受信される音声情報を消防デジタル無線通信方式による無線信号を用いて送受信を行い、
前記災害事案ごとまたは同一の前記災害事案に関する災害地点ごとに、それぞれの前記消防士と前記司令員との間で送受信される上り方向と下り方向との双方の音声情報をミキシングして一つの音声情報を纏めて上下音声情報として生成する上下音声ミキシング回路を有し、
前記上下音声情報をミキシングして一つの音声情報に纏めた情報共有用音声情報を、消防指令制御装置から受信し、前記情報共有用音声情報を、事前に定めた無線周波数を用いて、基地局無線装置へ送出する、
ことを特徴とする消防デジタル無線回線制御装置。
【請求項１０】
コンピュータによって各ステップの処理を実行し、
災害事案ごとまたは同一の前記災害事案に関する災害地点ごとにそれぞれ異なる周波数を割り当てて使用することを決定するステップと、
前記災害事案ごとまたは同一の前記災害事案に関する前記災害地点ごとにそれぞれ異なる周波数を用いて消防救急活動を行う消防士と消防本部の司令員との間で消防デジタル無線通信方式により送受信される音声情報をミキシングして一つの音声情報に纏めて情報共有用音声情報として生成するステップと、
生成した該情報共有用音声情報を、情報共有用周波数としてあらかじめ定めた消防デジタル無線の周波数を用いて、前記消防士が使用する消防デジタル無線用の無線機に対して送信するステップと、
を有していることを特徴とする消防指令送信プログラム。
【発明の詳細な説明】
【技術分野】
【０００１】
本発明は、消防指令システム、消防指令制御装置、消防デジタル無線回線制御装置および消防指令送信プログラムに関し、特に、消防デジタル無線回線制御装置を有する消防指令システムにおいて、広域大規模災害発生時の多人数による災害支援活動に関する情報共有を効率的に行う消防指令システム、消防指令制御装置、消防デジタル無線回線制御装置および消防指令送信プログラムに関する。
【背景技術】
【０００２】
消防本部は、消防救急に関する緊急事態が発生すると、災害事案として受け付け、該災害事案に関る諸情報を災害事案データとして記録するとともに、該災害事案に対応するための指令情報を当該災害事案に取り組む各消防署や各消防士に対して発出して消防救急活動を行っている。そして、この消防救急活動のさらなる高度化や通信の秘匿性の向上を図るために、近年、消防デジタル無線通信方式への移行が鋭意進められている。この消防デジタル無線通信方式では、消防本部の指令台から各災害地点で活動する消防士に対して司令等の情報を送信する消防救急無線方式として、２６０ＭＨｚ帯を使用した無線ＳＣＰＣ（Single  Channel  Per  Carrier）方式を基本として採用している。
【０００３】
一方、緊急事態に対する各種の消防救急支援活動を行う地域の消防団に属する消防団員は、該緊急事態に対応中の消防本部との間で携帯電話等により連絡を取り合って、消防本部からの出動指示が届く前に出動のための準備をしたり、災害事案に対する消防救急活動中の状況に関する情報を取得したりしている。
【０００４】
また、近年、デジタル無線通信方式を用いた消防指令システムに関して、例えば、特許文献１の特開２０１０−２３２９６５号公報「消防緊急無線システム、基地局装置および消防緊急情報送信方法」や特許文献２の特許第５４６９１５２号公報「消防指令システムおよび応援出動方法」等の、各種の具体的な実現方法が活発に提案され、実用化が進んでいる。
【０００５】
前記特許文献１に記載の技術は、基地局装置の構成に関する技術を提案していて、災害事案に対応する消防士の消防デジタル無線送受信端末（無線機）との間で、送受信する音声信号用の無線チャネルを、最適なものに自動的に切り替える仕組みを提案している。而して、該災害事案に関する緊急情報を迅速に送受信することを可能にしている。
【０００６】
また、前記特許文献２は、緊急車両の選定・出動に関する技術を提案している。この技術では、消防応援協定を締結した消防本部間で共有するサーバを備える。そして、該サーバは、緊急事案の種別、災害発生地点に応じた緊急車両の選別を行う機能を有する構成としている。而して、緊急車両の選定と出動とを迅速に行うことを可能にしている。
【０００７】
また、消防救急活動を指令するための消防指令システムとして、消防デジタル無線通信方式を採用した場合の現状のシステム構成の概要は、図１５に示すような構成になっている。図１５は、現状の技術における消防指令システムのシステム構成の概要を示すシステム構成図であり、該消防指令システムにおける運用上の課題についても合わせて説明している。図１５に示す構成全体を消防指令システム１００Ａとする。
【０００８】
図１５に示すように、現状の技術における消防指令システム１００Ａは、消防指令制御装置１０と消防デジタル無線回線制御装置２０とを有して構成されている。消防救急活動に関する指令等の情報のやり取りを制御する消防指令制御装置１０には、指令台３０や消防デジタル無線回線制御装置２０等が有線接続される。一方、消防デジタル無線通信方式による無線信号の送受信動作の制御を行う消防デジタル無線回線制御装置２０には、各地に配置されている基地局無線装置４０が無線接続される。以下の説明においては、基地局無線装置４０は、災害地点の近傍に配置されている基地局無線装置として説明している。
【０００９】
消防指令制御装置１０は、消防指令システム１００Ａを構成する装置の一つであり、指令台回線・緊急通報用回線・指令回線・消防無線回線等の各種回線を収容し、収容する各回線に対して回線交換を実現する構内交換機の一種である。また、指令台回線を介して消防指令制御装置１０に接続される指令台３０とは、緊急通報（１１９番通報）の受付、消防無線回線への指令に関する音声情報の送信および消防無線回線からの音声情報の受信を行うための端末である。
【００１０】
また、消防デジタル無線回線制御装置２０は、消防指令システム１００Ａを構成する装置の一つであるが、消防指令制御装置１０と基地局無線装置４０との間の回線交換を実現する構内交換機の一種である。そして、消防無線回線からの音声情報を、消防指令制御装置１０により指定された基地局無線装置４０に対して指定された周波数で送信し、基地局無線装置４０からの音声情報を消防指令制御装置１０に消防無線回線を介して送信する。また、基地局無線装置４０は、近傍に位置する消防士の消防デジタル無線送受信端末（無線機すなわち移動局）との間で無線通信を行う機能を有している。
【００１１】
なお、消防デジタル無線回線制御装置２０は、災害事案ごとに異なる消防デジタル無線の周波数を用いて消防救急に関する音声情報を送受信するために、消防無線回線として、消防指令制御装置１０との間に複数本接続している。該消防無線回線は、各災害事案に関する音声情報を消防指令制御装置１０と基地局無線装置４０との間で送受信する消防無線回線（上り、下り）である。消防無線回線（上り）は、主に、消防本部の司令員の指令台から消防士の消防デジタル無線送受信端末（無線機）へ通信を行う場合に使用される回線である。また、消防無線回線（下り）は、逆に、消防士の消防デジタル無線送受信端末（無線機）から消防本部の司令員の指令台へ向かう通信を行う場合に使用される回線である。ここで、同一災害事案であっても、災害地点ごとに異なる消防無線回線（すなわち災害地点に応じて消防デジタル無線の周波数として異なる周波数の情報を扱う回線）を用いることも可能である。図１５に示す例においては、消防無線回線として、同一災害事案の災害地点の発生数に対応して２つの消防デジタル無線の周波数を用いる情報の送受信用として、第１消防無線回線１ａ、第２消防無線回線１ｂを接続している。
【００１２】
ここで、各消防士が乗車する緊急車両や該消防士が在席する各消防署内に設置された消防デジタル無線送受信端末（無線機）は、同時に送受信することが可能な消防デジタル無線の周波数の個数が１波のみに限られているので、消防デジタル無線回線制御装置２０は、或る基地局無線装置４０との間で、同時に設定することができる周波数として一つの周波数に限られる。したがって、図１５に示すように、同一の災害事案に関する消防無線回線として第１消防無線回線１ａと第２消防無線回線１ｂとの２個の消防無線回線が設定されていたとしても、同時には、消防デジタル無線送受信端末（無線機）との間で２個の消防無線回線の情報を送受信することができず、いずれか一方の消防無線回線例えば第１消防無線回線１ａに絞り込むことが必要である。
【００１３】
このため、消防デジタル無線回線制御装置２０は、絞り込んだいずれか一方の消防無線回線例えば第１消防無線回線１ａに関する情報を指定された消防デジタル無線送受信端末（無線機）との間で送受信することになる。したがって、他方の無線回線例えば第２消防無線回線１ｂに関する情報の消防デジタル無線送受信端末（無線機）との間の送受信は後回しになってしまう。その結果、該他方の消防無線回線例えば第２消防無線回線１ｂに関する情報の伝送が遅くなってしまう。
【００１４】
さらに、地域の消防団活動を行う消防団に関し、例えば、広域大規模災害の場合のように複数の災害地点において災害が発生した場合、複数の災害地点それぞれにおいて消防救急支援活動を行っている消防団員と消防本部の司令員との間の通話は、図１６の模式図に示すように、消防無線用の無線回線を用いるのではなく、携帯電話網を経由した携帯電話の無線を用いることになる。したがって、消防団員と司令員との携帯端末に関する通話回線を人手によって設定することが必要になり、十分な消防団活動を行うことが難しくなる。
【００１５】
図１６は、現状の技術における消消防救急活動に関する情報展開方法の問題点を説明するための模式図である。図１６に示すように、広域大規模災害に関する災害事案ａの各災害地点すなわち第１災害地点、第２災害地点、第３災害地点それぞれにおいて消防救急活動を実施している消防士は、第１消防無線波、第２消防無線波、第３消防無線波それぞれを活動波として用いて、消防本部（消防署）の司令員との間の通話は行うことができる。しかし、それぞれの災害地点において消防救急活動を実施している消防士は、他の災害地点の様子を把握することができず、他の災害地点の消防士との連携を取ることが難しい。さらに、本災害事案ａに関連して消防団活動を行っている消防団員は、消防本部（消防署）の司令員と連絡を取り合おうとすると、携帯電話の手動操作により、携帯電話網を介して発信することが必要になり、迅速な連絡手段にはなっていない。
【先行技術文献】
【特許文献】
【００１６】
【特許文献１】特開２０１０−２３２９６５号公報
【特許文献２】特許第５４６９１５２号公報
【発明の概要】
【発明が解決しようとする課題】
【００１７】
以上に説明したように、本発明に関連する現状の技術における解決するべき課題は、次の点にある。
【００１８】
第１の課題は、現状の消防デジタル無線通信方式の運用方法においては、広域大規模災害発生の場合のように、複数の災害地点が同時に存在し、各災害現場活動者すなわち各消防士の間の災害情報の共有を円滑に行うことができないということである。
【００１９】
その理由は、現状の消防デジタル無線通信方式の運用方法として、広域大規模災害発生の場合のように、複数の災害地点が同時に存在している場合には、複数の消防デジタル無線の周波数を利用して、各災害現場活動者それぞれと司令員との間の情報共有を実施しようとしていることにある。つまり、各災害現場活動者は、それぞれ、０〜１台の消防デジタル無線送受信端末(無線機)を所持しているものの、該消防デジタル無線送受信端末（無線機）は、同時には、１波の消防デジタル無線の周波数しか情報を送受信することができず、複数の周波数からは同時には情報の送受信ができない。したがって、各災害現場活動者それぞれと司令員との間の情報共有は可能であるものの、他の災害地点で活動中の消防士間同士の間ではそれぞれの情報の迅速な取得が困難である。
【００２０】
第２の課題は、地域の消防団と消防本部（消防署）との間の情報共有を円滑に行うことができないことである。
【００２１】
その理由は、地域の消防団と消防本部（消防署）との間の情報伝達・連携の手段として、消防デジタル無線用の周波数を用いることができなく、携帯電話による通話を利用せざるを得ないことにある。
【００２２】
第３の課題は、広域大規模災害発生の場合のように、複数の災害地点が同時に存在する場合の災害活動においても、あらかじめ決められた一定数以上の消防デジタル無線用の周波数しか割り当てることができないことである。
【００２３】
その理由は、消防デジタル無線通信方式に利用可能な周波数は、各消防本部への周波数の割り当て可能な範囲が狭く、各消防本部で限られた周波数帯しか使用することができないことにある。つまり、複数の災害地点が同時に存在する場合において各災害地点の消防救急活動を行う消防士や消防団員それぞれとの連携を図るための通信用として、消防デジタル無線用の周波数を多数割り当ててしまうと、他の災害事案に関する消防救急活動に支障が生じてしまう。
【００２４】
（本開示の目的）
本開示の目的は、以上のような課題に鑑み、たとえ、複数の災害地点に同時に災害が発生した場合であっても、各災害地点において消防救急活動を行っている消防士同士の情報共有を可能にし、かつ、消防団活動を行う消防団員との間の情報共有も可能にする消防指令システム、消防指令制御装置、消防デジタル無線回線制御装置および消防指令送信プログラムを提供することにある。
【課題を解決するための手段】
【００２５】
前述の課題を解決するため、本発明による消防指令システム、消防指令制御装置、消防デジタル無線回線制御装置および消防指令送信プログラムは、主に、次のような特徴的な構成を採用している。
【００２６】
（１）本発明による消防指令システムは、
発生した災害事案の消防救急活動を行う消防士に対する消防本部の司令員からの指令を音声情報として送信し、
前記司令員からの前記指令に関する音声情報と前記消防士からの音声情報との送受信動作を制御する消防指令制御装置と、
前記司令員と前記消防士との間で送受信される音声情報を、前記災害事案ごとまたは同一の前記災害事案に関する災害地点ごとにそれぞれ異なる消防デジタル無線の周波数を利用して消防デジタル無線通信方式により送受信する動作を制御する消防デジタル無線回線制御装置と、
を有し、
前記災害事案ごとまたは同一の前記災害事案に関する前記災害地点ごとにそれぞれ異なる周波数を用いて前記司令員と前記消防士との間で送受信される音声情報の全てをミキシングして一つの音声情報に纏めて情報共有用音声情報として生成し、生成した該情報共有用音声情報を、情報共有用周波数としてあらかじめ定めた消防デジタル無線の周波数を用いて、前記消防士が使用する消防デジタル無線用の無線機に対して送信する、
ことを特徴とする。
【００２７】
（２）本発明による消防指令制御装置は、
発生した災害事案の消防救急活動を行う消防士と消防本部の司令員との間で消防デジタル無線通信方式により送受信される音声情報の送受信動作を制御し、
前記災害事案ごとまたは同一の前記災害事案に関する前記災害地点ごとにそれぞれ異なる周波数を用いて前記消防士と前記司令員との間で送受信される音声情報の全てをミキシングして一つの音声情報に纏めて情報共有用音声情報として生成する情報共有用音声ミキシング回路、
を有することを特徴とする。
【００２８】
（３）本発明による消防デジタル無線回線制御装置は、
発生した災害事案の消防救急活動を行う消防士と消防本部の司令員との間で送受信される音声情報を消防デジタル無線通信方式による無線信号を用いて送受信を行い、
前記災害事案ごとまたは同一の前記災害事案に関する前記災害地点ごとに、それぞれの前記消防士と前記司令員との間で送受信される上り方向と下り方向との双方の音声情報をミキシングして一つの音声情報を纏めて上下音声情報として生成する上下音声ミキシング回路、
を有することを特徴とする。
【００２９】
（４）本発明による消防指令送信プログラムは、
コンピュータによって各ステップの処理を実行し、
災害事案ごとまたは同一の前記災害事案に関する前記災害地点ごとにそれぞれ異なる周波数を割り当てて使用することを決定するステップと、
前記災害事案ごとまたは同一の前記災害事案に関する前記災害地点ごとにそれぞれ異なる周波数を用いて消防救急活動を行う消防士と消防本部の司令員との間で消防デジタル無線通信方式により送受信される音声情報の全てをミキシングして一つの音声情報に纏めて情報共有用音声情報として生成するステップと、
生成した該情報共有用音声情報を、情報共有用周波数としてあらかじめ定めた消防デジタル無線の周波数を用いて、前記消防士が使用する消防デジタル無線用の無線機に対して送信するステップと、
を有していることを特徴とする。
【発明の効果】
【００３０】
本発明の消防指令システム、消防指令制御装置、消防デジタル無線回線制御装置および消防指令送信プログラムによれば、主に、以下のような効果を奏することができる。
【００３１】
第１の効果は、広域大規模災害発生の場合のように、複数の災害地点が同時に存在している場合であっても、複数の災害地点それぞれにおいて消防救急活動中の災害現場活動者（消防士）それぞれの間で、それぞれの災害情報を円滑に共有することができることにある。
【００３２】
その理由は、各災害地点ごとに割り当てられている複数の消防デジタル無線の周波数それぞれを利用して各災害現場活動者（消防士）と司令員との間で送受信している音声情報を全て纏めた情報共有用音声情報を生成する仕組みを有しているからである。そして、生成した情報共有用音声情報を消防デジタル無線の情報共有用周波数としてあらかじめ定めた無線周波数を用いて、各災害現場活動者（消防士）が使用している消防デジタル無線送受信端末(無線機)に対して送出する仕組みを有しているからである。各災害現場活動者（消防士）は、使用している消防デジタル無線送受信端末(無線機)の周波数を該情報共有用周波数に合わせることにより、各災害地点それぞれにおいて災害現場活動者（消防士）と司令員との間で送受信されている全ての音声情報を一挙に取得することが可能であり、他の災害現場活動者（消防士）との間の情報共有を図ることができる。
【００３３】
第２の効果は、地域の消防団の消防団員と消防本部の司令員および各災害地点の消防士との間の情報共有を円滑に行う仕組みを提供できることにある。
【００３４】
その理由は、地域の消防団の消防団員と消防本部の司令員および各災害地点の消防士との間の情報伝達・連携の手段として、前述した消防デジタル無線の情報共有用周波数を利用することが可能になるからである。
【００３５】
第３の効果は、広域大規模災害発生の場合のように、複数の災害地点が同時に存在している場合であっても、限られた無線リソースを最適に利用して、複数の災害地点それぞれにおいて消防救急活動中の情報の共有を図ることが可能になることにある。
【００３６】
その理由は、前述した消防デジタル無線の情報共有用周波数を適切に利用可能な個数として設定した任意数使用することにより、各災害地点に対して複数の周波数を仮想的に割り当てることが可能となる仕組みを有しているからである。
【図面の簡単な説明】
【００３７】
【図１】本発明に係る消防指令システムのシステム構成の概要の一例を示すシステム構成図である。
【図２】本発明に係る消防指令システムにおける消防救急活動に関する情報展開方法の一例を説明するための模式図である。
【図３】本発明に係る消防指令システムのシステム構成の一例を示すシステム構成図である。
【図４】本発明の一実施形態として図３に示した消防指令システムの動作の一例を説明するためのフローチャートである。
【図５】図４に示すフローチャートの動作の前提となる消防指令システムの通信回線の使用状況を示す模式図である。
【図６】図４に示すフローチャートのステップＳ１における消防指令システムの通信回線の使用状況を示す模式図である。
【図７】図４に示すフローチャートのステップＳ２における消防指令システムの通信回線の使用状況を示す模式図である。
【図８】図４に示すフローチャートのステップＳ３における消防指令システムの通信回線の使用状況を示す模式図である。
【図９】図４に示すフローチャートのステップＳ４における消防指令システムの通信回線の使用状況を示す模式図である。
【図１０】図４に示すフローチャートのステップＳ５における消防指令システムの通信回線の使用状況を示す模式図である。
【図１１】図４に示すフローチャートのステップＳ６における消防指令システムの通信回線の使用状況を示す模式図である。
【図１２】現状の消防救急活動における情報展開上の問題点を解決するに当たり想定される第１の解決手段を説明するための説明図である。
【図１３】現状の消防救急活動における情報展開上の問題点を解決するに当たり想定される第２の解決手段を説明するための説明図である。
【図１４】現状の消防救急活動における情報展開上の問題点を解決するために本実施形態において実施した解決手段の一例を説明するための説明図である。
【図１５】現状の技術における消防指令システムのシステム構成の概要を示すシステム構成図である。
【図１６】現状の技術における消消防救急活動に関する情報展開方法の問題点を説明するための模式図である。
【発明を実施するための形態】
【００３８】
以下、本発明による消防指令システム、消防指令制御装置、消防デジタル無線回線制御装置および消防指令送信プログラムの好適な実施形態について添付図を参照して説明する。なお、以下の各図面に付した図面参照符号は、理解を助けるための一例として各要素に便宜上付記したものであり、本発明を図示の態様に限定することを意図するものではないことは言うまでもない。
【００３９】
（本発明の特徴）
本発明の実施形態の説明に先立って、本発明の特徴についてその概要をまず説明する。本発明は、消防デジタル無線回線制御装置を有する消防指令システムにおいて、各災害事案ごとの消防デジタル無線の利用方法を工夫して、限られた無線リソースの範囲内において任意数の無線周波数を割り当てるとともに、各災害事案または同一災害事案の複数の災害地点それぞれにおいて消防救急活動中の消防士それぞれの間で情報を共有することを可能にすることを主要な特徴としている。
【００４０】
特に、広域大規模災害発生の場合の災害事案のように、複数の災害地点が同時に存在している場合であっても、限られた無線リソースの範囲内で、各災害地点において消防救急活動中の消防士間の情報共有を効果的に行うことを主要な特徴としている。さらには、限られた無線リソースの範囲内で、各災害地点において消防救急支援活動中の消防団員と消防士・司令員との間の情報共有を効果的に行うことも主要な特徴としている。而して、無線資源の利用の効率化により、複数の災害事案が同時に発生しても、無線周波数が枯渇することを回避することができ、各災害事案における消防救急活動者（消防士、司令員、消防団員）間の情報共有化を図ることができる。
【００４１】
本発明の特徴について、図１を用いてさらに具体的に説明する。図１は、本発明に係る消防指令システムのシステム構成の概要の一例を示すシステム構成図であり、図１５に示した現状の消防指令システムにおける運用上の課題を解決する技術について説明している。
【００４２】
図１に示す本発明に係る消防指令システム１００も、図１５に示す現状の技術における消防指令システム１００Ａと同様、消防指令制御装置１０と消防デジタル無線回線制御装置２０とを有している。消防指令制御装置１０は、消防本部の司令員からの指令に関する音声情報と災害地点の消防士からの音声情報との送受信動作を制御する。また、消防デジタル無線回線制御装置２０は、消防本部の司令員と災害地点の消防士との間で送受信される音声情報を、災害事案ごとまたは同一の災害事案に関する災害地点ごとにそれぞれ異なる消防デジタル無線の周波数を利用して消防デジタル無線通信方式により送受信する動作を制御する。なお、消防指令制御装置１０には、指令台３０等が有線接続され、消防デジタル無線回線制御装置２０には、災害地点の基地局無線装置４０が無線接続される。
【００４３】
消防指令制御装置１０と消防デジタル無線回線制御装置２０とは、図１５に示す現状の技術における消防指令システム１００Ａと同様、消防指令システム１００を構成する装置の一つである。また、指令台回線を介して消防指令制御装置１０に接続される指令台３０も、図１５に示す現状の技術における消防指令システム１００Ａと同様、緊急通報（１１９番通報）の受付、消防無線回線への指令に関する音声情報の送信および消防無線回線からの音声情報の受信を行うための端末である。また、基地局無線装置４０も、図１５に示す現状の技術における消防指令システム１００Ａと同様、消防デジタル無線送受信端末（無線機すなわち移動局）との間で無線通信を行う機能を有している。
【００４４】
しかし、図１に示す本発明に係る消防指令システム１００においては、消防デジタル無線回線制御装置２０と消防指令制御装置１０との間を接続する回線構成が、図１５に示す現状の技術における消防指令システム１００Ａの場合とは異なっている。すなわち、消防デジタル無線回線制御装置２０は、消防デジタル無線回線制御装置２０との間で音声情報を送受信する回線として、図１５に示す現状の技術における消防指令システム１００Ａの場合と同様の回線、すなわち、司令員と災害事案で活動中の消防士との間で音声情報を送受信する消防無線回線（上り、下り）のみを接続しているだけではない。その他に、消防デジタル無線回線制御装置２０は、消防デジタル無線回線制御装置２０との間で音声情報を送受信する回線として、同一災害事案に関する各災害地点ごとの上下方向の音声情報を纏めて一方向のみに送信する消防無線交信音声引込用回線（下り）、同一災害事案に関する各災害地点の音声情報を共有するために全ての音声情報を纏めて送受信する情報共有用消防無線回線（上り、下り）をさらに接続している。
【００４５】
前述したように、消防無線回線（上り、下り）に関しては、図１５の場合と同様、主に、消防本部の司令員が使用する指令台と消防救急活動中の消防士が使用する消防デジタル無線送受信端末（無線機）との間の音声情報を送受信する場合に使用される回線であり、災害事案ごとに、消防デジタル無線の異なる周波数が割り当てられる。ただし、同一災害事案であっても、災害地点ごとに異なる周波数が割り当てる場合もある。図１に示す例においては、図１５の場合と同様、消防無線回線として、同一災害事案の災害地点に対応して第１消防無線回線１ａ、第２消防無線回線１ｂを接続している場合を示している。
【００４６】
また、消防無線交信音声引込用回線（下り）は、消防デジタル無線回線制御装置２０から消防指令制御装置１０に向かって一方向に音声情報を送出する機能を有している回線である。そして、消防無線交信音声引込用回線（下り）は、同一の周波数が割り当てられている同一災害事案ごとにまたは同一災害事案の災害地点ごとに、上り方向の音声信号と下り方向の音声情報とを交信音声情報として一つの音声情報に纏めて、消防指令制御装置１０に向かって送出する回線である。
【００４７】
図１に示す例においては、消防無線交信音声引込用回線として、第１消防無線交信音声引込用回線２ａ、第２消防無線交信音声引込用回線２ｂを接続している。第１消防無線交信音声引込用回線２ａには、消防デジタル無線回線制御装置２０において第１消防無線回線１ａの上り方向と下り方向との音声情報が一つに纏められて消防指令制御装置１０に向かって送出され、第２消防無線交信音声引込用回線２ｂには、消防デジタル無線回線制御装置２０において第２消防無線回線１ｂの上り方向と下り方向との音声情報が一つに纏められて消防指令制御装置１０に向かって送出される。
【００４８】
なお、消防デジタル無線回線制御装置２０は、図１には示していないが、消防指令制御装置１０との間で消防無線回線を介して送受信される消防デジタル無線の各周波数における上り方向／下り方向の音声情報をそれぞれの周波数ごとにミキシングして、上り方向／下り方向の音声情報をあたかも一つの音声情報のように扱えるようにする上下音声ミキシング回路を有している。以降、ミキシング後の音声情報のことを‘交信音声情報’と称する。
【００４９】
すなわち、第１消防無線回線１ａの上り方向と下り方向との音声情報をミキシングして、第１交信音声情報を生成し、第２消防無線回線１ｂの上り方向と下り方向との音声情報をミキシングして、第２交信音声情報を生成する。しかる後、消防デジタル無線回線制御装置２０は、図１に示すように、生成した第１交信音声情報を、第１消防無線交信音声引込用回線２ａを介して消防指令制御装置１０へ送出し、生成した第２交信音声情報を、第２消防無線交信音声引込用回線２ｂを介して消防指令制御装置１０へ送出する。
【００５０】
また、情報共有用消防無線回線（上り、下り）は、消防無線回線が有する機能と同様、主に、消防本部の司令員が使用する指令台と消防救急活動中の消防士が使用する消防デジタル無線送受信端末（無線機）との間の音声情報を送受信する場合に使用される回線である。しかし、情報共有用消防無線回線（上り、下り）は、さらに、情報共有用として、同一災害事案に関する全ての消防無線回線に流れている音声情報を一つに纏めて送受信することも可能な回線である。つまり、情報共有用消防無線回線（上り、下り）は、消防無線回線とは異なり、同一災害事案に関する全ての消防無線回線に流れている音声情報を情報共有用音声情報として一つ音声情報に纏めて、消防デジタル無線回線制御装置２０と消防指令制御装置１０との間を送受信することが可能な回線である。なお、情報共有用消防無線回線（上り、下り）は、情報共有用音声情報を送信する送信先となる災害地点の数、消防デジタル無線送受信端末（無線機）の個数や災害事案、災害種別、災害地点等を勘案して、任意の個数、あらかじめ用意すれば良い。
【００５１】
図１に示す例においては、情報共有用消防無線回線として、第１情報共有用消防無線回線３ａを１個だけ接続している。そして、消防指令制御装置１０において第１消防無線交信音声引込用回線２ａを介して受け取った交信音声情報と第２消防無線交信音声引込用回線２ｂを介して受け取った交信音声情報とを、同一災害事案に関する全ての音声情報として一つに纏め、情報共有用音声情報として、第１情報共有用消防無線回線３ａの上り回線を使って、消防デジタル無線回線制御装置２０に送出している。
【００５２】
消防デジタル無線回線制御装置２０は、受け取った情報共有用音声情報を、消防デジタル無線の周波数のうち第１情報共有用消防無線回線３ａ用の情報共有用周波数としてあらかじめ定めた周波数を用いて、当該災害事案に対応している各消防士の消防デジタル無線送受信端末（無線機）に対して基地局無線装置４０を介して送信する。したがって、各消防士が使用する消防デジタル無線送受信端末（無線機）を、該情報共有用周波数に合わせることにより、当該災害事案に関する全ての音声情報すなわち第１消防無線回線１ａに関する交信音声情報および第２消防無線回線１ｂに関する交信音声情報を、纏めて聴取することができる。
【００５３】
而して、広域大規模災害のように複数の災害地点で災害が同時に発生しても、無線周波数が枯渇してしまうことなく、各基地局無線装置４０は、同一災害事案の全ての災害地点において消防救急活動用として送受信される上り方向および下り方向の音声情報を纏めて受信することができ、同一災害事案に対応する各消防救急活動者（消防士）の間の情報共有化を図ることができる。
【００５４】
なお、情報共有用消防無線回線の上り回線は、当該災害事案に対応する消防士だけでなく、当該災害事案に対する消防救急支援活動を行う地域の消防団員においても情報共有を可能にするために、該地域の消防団員が使用する消防デジタル無線送受信端末（無線機）に対して当該災害事案に関する情報共有用音声情報を送信するために利用することもできる。
【００５５】
さらに、地域の消防団員は、消防デジタル無線の情報共有用周波数を用いて、情報共有用消防無線回線の上り回線と下り回線とを利用することにより、消防本部の司令員との間で、消防救急支援活動に関する情報をやり取りすることも可能である。
【００５６】
而して、地域の消防団員は、消防デジタル無線用の消防デジタル無線送受信端末（無線機）を用いて、各災害地点の消防士と司令員との間でやり取りされる全ての音声情報を容易かつ迅速に聴取することが可能になり、かつ、司令員との間で消防救急支援活動に関する情報交換も迅速に行うことができる。
【００５７】
図２は、本発明に係る消防指令システムにおける消防救急活動に関する情報展開方法の一例を説明するための模式図である。図２に示すように、本発明に係る消防指令システムにおいては、広域大規模災害の災害事案ａに関する各災害地点における消防士と消防本部（消防署）の司令員との通話情報（会話音声）のミキシングを行って、全ての通話情報を一つに纏めた情報共有用音声情報を生成している。
【００５８】
図２において、例えば、第２災害地点の消防士が、他の災害地点の様子を把握するために、該消防士が使用する消防デジタル無線送受信端末（無線機）の周波数を、司令員との通話用に用いている第２消防無線回線用の周波数（第２消防無線波）の代わりに、情報共有用無線回線用の周波数（情報共有用消防無線波）に切り替えると、情報共有用音声情報を聴取することができ、他の災害地点に関する音声情報を取得することが可能になる。
【００５９】
さらに、本災害事案ａに関連して消防団活動を行っている地域の消防団員が、各災害地点における消防士の活動状況を把握したい場合には、当該地域の消防団員が使用する消防デジタル無線送受信端末（無線機）の周波数を、情報共有用無線回線用の周波数（情報共有用消防無線波）に合わせると、情報共有用音声情報を聴取することにより可能になる。また、消防団員が消防本部（消防署）の司令員と消防救急支援活動に関する連絡を取り合いたい場合には、当該地域の消防団員が使用する消防デジタル無線送受信端末（無線機）の周波数を、情報共有用無線回線用の周波数（情報共有用消防無線波）に設定することにより、司令員と簡単に連絡を取り合うことができる。
【００６０】
（本発明の実施形態の構成例） 
次に、本発明に係る消防指令システムのシステム構成についてその一例を、図３を参照しながら詳細に説明する。図３は、本発明に係る消防指令システムのシステム構成の一例を示すシステム構成図である。図３に構成を示すシステム全体を消防指令システム１００とする。図３に示すように、消防指令システム１００は、消防指令制御装置１０と消防デジタル無線回線制御装置２０との間を、１ないし複数の消防無線回線と１ないし複数の消防無線交信音声引込用回線と１ないし複数の情報共有用消防無線回線とによって接続されている。
【００６１】
なお、図３には示していないが、消防指令制御装置１０は、消防本部の指令員が操作する指令台等の消防デジタル無線送受信端末と指令台回線を介して有線接続している。また、消防デジタル無線回線制御装置２０には、各地に配置されている基地局無線装置が無線接続される。ここで、基地局無線装置は、各災害事案の災害地点の近傍にも配置されている。そして、消防デジタル無線回線制御装置２０は、基地局無線装置を介して、各災害事案の災害地点において消防救急活動中の消防士が使用する消防デジタル無線送受信端末（無線機）との間を無線接続する。
【００６２】
複数の消防無線回線は、各災害事案ごとにまたは同一災害事案の災害地点ごとに異なる消防デジタル無線用の周波数が割り当てられる回線であり、図３に示すように、例えば、第１消防無線回線１ａ、第２消防無線回線１ｂ、…の回線のように１ないし複数の回線からなっている。そして、１ないし複数の消防無線回線は、消防本部において各災害事案の消防指令業務を担務する指令員が使用する端末機と各災害事案の各災害地点にて消防救急活動中の消防士が使用する消防デジタル無線送受信端末（無線機）との間の通話音声情報を送受信するために、消防指令制御装置１０と消防デジタル無線回線制御装置２０との間を接続している。
【００６３】
なお、図３に示すように、消防デジタル無線回線制御装置２０は、内部に、上下音声ミキシング回路２１を有している。上下音声ミキシング回路２１は、消防指令制御装置１０との間で各消防無線回線を介して送受信される災害事案ごとまたは同一災害事案の災害地点ごとの消防デジタル無線の各周波数における上り音声情報および下り音声情報を、それぞれの周波数ごとにミキシングし、上り音声情報および下り音声情報をあたかも一つの音声情報のように扱えるように纏める。ミキシング後の音声情報のことを‘交信音声情報’と称する。例えば、上下音声ミキシング回路２１は、第１消防無線回線１ａの上り方向および下り方向の音声情報をミキシングして、第１交信音声情報を生成し、また、第２消防無線回線１ｂの上り方向および下り方向の音声情報をミキシングして、第２交信音声情報を生成する。
【００６４】
しかる後、消防デジタル無線回線制御装置２０は、図３に示すように、それぞれの消防デジタル無線用の周波数ごとに生成した交信音声情報を、１ないし複数の消防無線交信音声引込用回線のうち、それぞれの災害事案または同一災害事案の災害地点ごとに用いている消防デジタル無線用の周波数に対応する消防無線交信音声引込用回線を介して、消防指令制御装置１０へ送出する。例えば、第１交信音声情報は、第１消防無線回線１ａの消防デジタル無線の周波数に対応する第１消防無線交信音声引込用回線２ａを介して消防指令制御装置１０へ送出し、第２交信音声情報は、第２消防無線回線１ｂの消防デジタル無線の周波数に対応する第２消防無線交信音声引込用回線２ｂを介して消防指令制御装置１０へ送出する。
【００６５】
消防指令制御装置１０は、内部に、情報共有用音声ミキシング回路１１を有している。情報共有用音声ミキシング回路１１は、消防デジタル無線回線制御装置２０から１ないし複数の消防無線交信音声引込用回線それぞれを経由して送出されてくる任意数の交信音声情報の全てをミキシングして一つの音声情報に纏めて情報共有用音声情報として生成する。例えば、第１消防無線交信音声引込用回線２ａを介して送出されてくる第１交信音声情報、第２消防無線交信音声引込用回線２ｂを介して送出されてくる第２交信音声情報をはじめ全ての交信音声情報をミキシングして、一つの音声情報に纏めて、情報を共有することが可能な情報共有用音声情報として生成する。
【００６６】
しかる後、消防指令制御装置１０は、情報共有用音声ミキシング回路１１において生成した情報共有用音声情報を、複数の消防デジタル無線の周波数のうち、あらかじめ定めた任意数の周波数に対応する個数の情報共有用消防無線回線を介して消防デジタル無線回線制御装置２０へ送出する。ここで、複数の消防デジタル無線の周波数のうち、あらかじめ定めた任意数の周波数とは、同じ時点で発生している災害事案や災害地点、災害種別、また、消防救急活動中の消防士が使用する無線機、さらには、消防救急支援活動を行う地域の消防団の消防団員が使用する無線機等に応じて決められる個数の周波数である。
【００６７】
図３において、例えば、第１交信音声情報と第２交信音声情報とが同一災害事案例えば災害事案ａに関する情報であった場合には、情報共有用音声ミキシング回路１１において生成した情報共有用音声情報を、複数の情報共有用消防無線回線のうち、該災害事案ａに関する情報共有用周波数としてあらかじめ定めた周波数を扱う第１情報共有用消防無線回線３ａを経由して消防デジタル無線回線制御装置２０へ送出する。
【００６８】
そして、消防デジタル無線回線制御装置２０は、任意数の情報共有用消防無線回線それぞれを介して消防指令制御装置１０から送出されてくる情報共有用音声情報を、消防デジタル無線用の情報共有用周波数として事前に定めた無線周波数を用いて、宛先に該当する無線機が帰属している各基地局無線装置へ送出する。
【００６９】
その結果、宛先に該当する無線機が帰属している各基地局無線装置は、消防デジタル無線回線制御装置２０から情報共有用周波数を用いて送出されてくる情報共有用音声情報を受け取って、該当する情報共有用周波数を用いて、帰属している各無線機に対して送信することができる。而して、複数の災害事案または同一災害事案に関する複数の災害地点が同時に存在していても、消防デジタル無線用の無線周波数が枯渇してしまうがことなく、消防救急活動中の各消防士および各消防団員は、全ての災害事案または同一災害事案に関する全ての災害地点に関して送受信されている上り方向および下り方向の音声情報を纏めて受信することができ、各災害事案における消防救急活動者の情報共有化を図ることができる。
【００７０】
また、図３には図示していないが、情報共有用音声ミキシング回路１１の入力側に接続される１ないし複数の消防無線交信音声引込用回線に関しては、前述したように、１ないし複数の消防無線交信音声引込用回線のうち、同一災害事案に関する交信音声情報を出力している複数の消防無線交信音声引込用回線のみを選択して、情報共有用音声ミキシング回路１１の入力側に接続して、同一災害事案に関する交信音声情報を一つの音声情報に纏めた情報共有用音声情報として生成することが可能である。
【００７１】
さらには、同一災害事案に関する交信音声情報の全てではなく、司令員からの指示に基づいて、同一災害事案に関する交信音声情報を出力している複数の消防無線交信音声引込用回線のうち、指示された消防無線交信音声引込用回線に関する交信音声情報のみを一つの音声情報に纏めた情報共有用音声情報として生成するようにすることも可能である。そして、同一災害事案に関する交信音声情報を出力している複数の消防無線交信音声引込用回線のうち、指示された消防無線交信音声引込用回線に関する交信音声情報のみを一つの音声情報に纏めた情報共有用音声情報を送信する送信先として、司令員は、地域の消防団の消防団員が使用する無線機も対象にすることができる。
【００７２】
（本発明の実施形態の動作の説明） 
次に、本発明の一実施形態として図３に示した消防指令システム１００の動作について、その一例を、図４のフローチャートおよび図５〜図１１の模式図を用いて詳細に説明する。図４は、本発明の一実施形態として図３に示した消防指令システム１００の動作の一例を説明するためのフローチャートである。なお、図４のフローチャートは、一例として、図２に示した災害事案ａとして広域大規模災害が発生した場合を例にして、消防指令システム１００がどのように動作した結果、同一災害事案ａに関する消防救急活動を行っている各消防救急活動要員（消防士、消防団員）が当該災害事案ａに関する情報共有を図ることができたかという点に着目して説明している。ここで、図４のフローチャートの処理をコンピュータによって実行可能な消防指令送信プログラムとして実施することができることは言うまでもない。
【００７３】
ここで、図４に示すフローチャートの動作の流れを説明するに当たって、消防指令システム１００は、図５に示すような通信回線の使用状況になっているものと仮定する。図５は、図４に示すフローチャートの動作の前提となる消防指令システム１００の通信回線の使用状況を示す模式図である。図５に示すように、広域大規模災害の本災害事案ａに関する消防救急活動に使用する消防デジタル無線の周波数（すなわち活動波）として、すなわち、各災害地点において消防救急活動中の消防士と司令員との間の通話に用いる消防デジタル無線の周波数として、Ａ／Ｂ／Ｃ  Ｈｚの３つ周波数を使用しているものと仮定する。また、広域大規模災害の本災害事案ａに関する地域の消防団等の消防救急活動要員（消防団員等）にも、本災害事案ａに関する情報共有を図るために使用する消防デジタル無線の周波数として、あらかじめ定めたＤ／Ｅ  Ｈｚの２つの周波数を使用しているものと仮定する。
【００７４】
第１災害地点で活動中の消防士は、活動波として周波数Ａ  Ｈｚの無線波を使用して、該第１災害地点の近傍に設置されている第１基地局無線装置４０ａから消防デジタル無線回線制御装置２０を経由して、さらに、第１消防無線回線１ａおよび消防指令制御装置１０を経由して、司令員と通話している。また、第２災害地点で活動中の消防士は、同様に、活動波として周波数Ｂ  Ｈｚの無線波を使用して、該第２災害地点の近傍に設置されている第２基地局無線装置４０ｂから消防デジタル無線回線制御装置２０を経由して、さらに、第２消防無線回線１ｂおよび消防指令制御装置１０を経由して、司令員と通話している。また、第３災害地点で活動中の消防士も、同様に、活動波として周波数Ｃ  Ｈｚの無線波を使用して、該第３災害地点の近傍に設置されている第３基地局無線装置４０ｃから消防デジタル無線回線制御装置２０を経由して、さらに、第３消防無線回線１ｃおよび消防指令制御装置１０を経由して、司令員と通話している。
【００７５】
消防デジタル無線回線制御装置２０は、内部に備えている上下音声ミキシング回路２１において、第１災害地点の消防士と司令員との間の上り方向および下り方向の通話情報を交信音声情報としてミキシングして、周波数Ａ  Ｈｚの無線波に対応する第１消防無線交信音声引込用回線２ａを介して消防指令制御装置１０に送出している。同様に、第２災害地点の消防士と司令員との間、第３災害地点の消防士と司令員との間のそれぞれの上り方向および下り方向の通話情報を交信音声情報としてミキシングして、周波数Ｂ  Ｈｚ、周波数Ｃ  Ｈｚそれぞれの無線波に対応する第２消防無線交信音声引込用回線２ｂ、第３消防無線交信音声引込用回線２ｃそれぞれを介して消防指令制御装置１０に送出している。
【００７６】
また、消防指令制御装置１０は、内部に備えている情報共有用音声ミキシング回路１１において、第１消防無線交信音声引込用回線２ａ、第２消防無線交信音声引込用回線２ｂ、第３消防無線交信音声引込用回線２ｃそれぞれを介して送出されてくる第１災害地点、第２災害地点、第３災害地点それぞれの消防士と司令員との間で交信されている交信音声情報を全て一つに纏めて、情報共有用音声情報として出力する。
【００７７】
そして、情報共有用音声ミキシング回路１１から出力された情報共有用音声情報は、情報共有用周波数としてあらかじめ定めた消防デジタル無線の周波数Ｄ、Ｅ  Ｈｚそれぞれの無線波に対応する第１情報共有用消防無線回線３ａ、第２情報共有用消防無線回線３ｂそれぞれを介して、消防デジタル無線回線制御装置２０に送出される。
【００７８】
消防デジタル無線回線制御装置２０は、第１情報共有用消防無線回線３ａ、第２情報共有用消防無線回線３ｂそれぞれから情報共有用音声情報を受け取ると、当該広域大規模災害ａに関連している地域Ａ、地域Ｂそれぞれの消防団員に通知するために、受け取った情報共有用音声情報を、情報共有用周波数Ｄ、Ｅ  Ｈｚそれぞれの無線波を用いて、第４基地局無線装置４０ｄ、第５基地局無線装置４０ｅそれぞれに送信する。第４基地局無線装置４０ｄ、第５基地局無線装置４０ｅそれぞれは、受信した情報共有用音声情報を、情報共有用周波数Ｄ、Ｅ  Ｈｚそれぞれの無線波を用いて、地域Ａ、地域Ｂそれぞれの地域の消防団の消防団員が使用する無線機に通知する。
【００７９】
なお、本実施形態においては、情報共有用周波数としてあらかじめ定めた消防デジタル無線の周波数の個数として、周波数Ｄ、Ｅ  Ｈｚの２個を使用する場合を示しているが、前述したように、対応する災害事案に関する各種の状況に応じて、該個数は任意の数で構わない。
【００８０】
また、図３には示していないが、消防デジタル無線回線制御装置２０は、消防指令制御装置１０から受け取った情報共有用音声情報を、情報共有用周波数Ｄ、Ｅ  Ｈｚそれぞれの無線波を用いて、第１基地局無線装置４０ａ、第２基地局無線装置４０ｂ、第３基地局無線装置４０ｃそれぞれに対しても送信している。第１基地局無線装置４０ａ、第２基地局無線装置４０ｂ、第３基地局無線装置４０ｃそれぞれは、受信した情報共有用音声情報を、情報共有用周波数Ｄ、Ｅ  Ｈｚそれぞれの無線波を用いて、それぞれの基地局無線装置に帰属している消防士所持の無線機に対して送信する。
【００８１】
したがって、第１災害地点、第２災害地点、第３災害地点それぞれにおいて消防救急活動中の消防士が使用する消防デジタル無線送受信端末(無線機)の周波数を、情報共有用周波数Ｄ、Ｅ  Ｈｚに合わせれば、第１災害地点、第２災害地点、第３災害地点それぞれにおいて消防救急活動中の各消防士も情報共有用音声情報を聴取することができる。
【００８２】
以下に、図４に示すフローチャートにおける動作の流れについて説明する。まず、広域大規模災害が発生すると、消防本部により、広域災害事案ａが生成され、図６に示すように、該広域災害事案ａに関する消防救助活動用の消防デジタル無線の周波数として 、第１災害地点には、Ａ  Ｈｚ、第２災害地点には、Ｂ  Ｈｚ、第３災害地点には、Ｃ  Ｈｚをそれぞれ使用することが決定される（ステップＳ１）。
【００８３】
図６は、図４に示すフローチャートのステップＳ１における消防指令システム１００の通信回線の使用状況を示す模式図である。すなわち、消防本部の司令員と各災害地点で活動中の消防士との間の通話情報は、例えば、第１災害地点の消防士との間の通話の場合は、消防本部の司令員との間の通話用として、消防デジタル無線用の周波数Ａ  Ｈｚを使用して、第１基地局無線装置４０ａから消防デジタル無線回線制御装置２０を経由し、さらに、第１消防無線回線１ａおよび消防指令制御装置１０を経由して、相互に送受信される。
【００８４】
かくのごとく、消防本部の司令員と広域災害事案ａに関する各災害地点において活動中の消防士との間の通話用の消防デジタル無線の周波数が決定されると、消防デジタル無線回線制御装置２０は、次に、図７に示すように、各消防無線回線を使用して送受信する音声情報に割り当てた消防デジタル無線用の各周波数（Ａ／Ｂ／Ｃ  Ｈｚ）ごとに、内蔵している上下音声ミキシング回路２１それぞれを確保して、各上下音声ミキシング回路２１それぞれの入力側に、該当する周波数（Ａ／Ｂ／Ｃ  Ｈｚ）に関する消防無線回線側からの出力と基地局無線装置側からの出力とを接続する(ステップＳ２)。 
【００８５】
図７は、図４に示すフローチャートのステップＳ２における消防指令システム１００の通信回線の使用状況を示す模式図である。その結果、消防本部の司令員と広域災害事案ａに関する各災害地点において活動中の消防士との間の上り方向と下り方向との音声情報がそれぞれの消防デジタル無線用の周波数ごとにミキシングされて、各上下音声ミキシング回路２１ごとの交信音声情報として、各上下音声ミキシング回路２１それぞれから出力される。
【００８６】
すなわち、例えば、消防無線用の周波数Ａ  Ｈｚを使用して、第１災害地点の消防士と司令員との間の通話経路に関しては、第１基地局無線装置４０ａからの出力と第１消防無線回線１ａ側からの出力とを第１上下音声ミキシング回路２１ａの入力側を接続する。その結果、広域災害事案ａに関する第１災害地点において活動中の消防士と消防本部の司令員との間の上り方向と下り方向との音声情報がミキシングされて、消防デジタル無線用の周波数Ａ  Ｈｚに該当する第１交信音声情報として第１上下音声ミキシング回路２１ａから出力されることになる。
【００８７】
次に、消防デジタル無線回線制御装置２０は、図８に示すように、消防デジタル無線用として割り当てた各周波数（Ａ／Ｂ／Ｃ  Ｈｚ）ごとの各上下音声ミキシング回路２１それぞれの出力側を、該当する周波数（Ａ／Ｂ／Ｃ  Ｈｚ）の消防無線交信音声引込用回線の入力側に接続する(ステップＳ３)。
【００８８】
図８は、図４に示すフローチャートのステップＳ３における消防指令システム１００の通信回線の使用状況を示す模式図である。その結果、各上下音声ミキシング回路２１それぞれにおいてミキシングして生成された交信音声情報は、消防デジタル無線用として割り当てた各周波数（Ａ／Ｂ／Ｃ  Ｈｚ）ごとに、各上下音声ミキシング回路２１それぞれから消防指令制御装置１０に送出される。すなわち、例えば、消防無線用の周波数Ａ  Ｈｚを使用して、第１災害地点の消防士と司令員との間を接続している通話経路に関しては、第１交信音声情報として、第１上下音声ミキシング回路２１ａから第１消防無線交信音声引込用回線２ａを介して消防指令制御装置１０に送出される。
【００８９】
消防指令制御装置１０は、図９に示すように、内蔵している情報共有用音声ミキシング回路１１の入力側に、消防デジタル無線回線制御装置２０からの無線交信音声引込用回線の出力側を全て接続する（ステップＳ４）。したがって、消防デジタル無線用として割り当てた各周波数（Ａ／Ｂ／Ｃ  Ｈｚ）ごとの消防無線交信音声引込用回線を介して入力されてくる各交信音声情報は、全て、消防指令制御装置１０に内蔵されている情報共有用音声ミキシング回路１１に入力される。
【００９０】
図９は、図４に示すフローチャートのステップＳ４における消防指令システム１００の通信回線の使用状況を示す模式図である。その結果、広域災害事案ａに関して各災害地点において活動中の消防士と消防本部の司令員との間の全ての交信音声情報がミキシングされて、情報共有用音声情報として、情報共有用音声ミキシング回路１１から出力される。
【００９１】
すなわち、広域災害事案ａに関する全ての交信音声情報（つまり、第１、第２、第３災害地点それぞれの消防士と司令員との間の第１交信音声情報、第２交信音声情報、第３交信音声情報）が一つに纏められて、情報共有用音声情報として、情報共有用音声ミキシング回路１１から出力される。
【００９２】
次に、消防指令制御装置１０は、図１０に示すように、情報共有用音声ミキシング回路１１の出力側に、情報共有用周波数としてあらかじめ定めた消防デジタル無線の周波数に対応する情報共有用消防無線回線のそれぞれの入力側を接続する（ステップＳ５）。
【００９３】
図１０は、図４に示すフローチャートのステップＳ５における消防指令システム１００の通信回線の使用状況を示す模式図である。その結果、情報共有用音声ミキシング回路１１においてミキシングして一つに纏められて生成された情報共有用音声情報は、情報共有用周波数としてあらかじめ定めた消防デジタル無線の周波数それぞれに対応する情報共有用消防無線回線を介して、消防デジタル無線回線制御装置２０に送出される。すなわち、例えば、情報共有用周波数として消防無線用の周波数Ｄ  ＨｚとＥ  Ｈｚとの２個の周波数を割り当てている場合、一つに纏められた情報共有用音声情報は、それぞれの情報共有用周波数Ｄ  ＨｚとＥ  Ｈｚとに対応する第１情報共有用消防無線回線３ａと第２情報共有用消防無線回線３ｂとを経由して、消防デジタル無線回線制御装置２０に送出される。なお、情報共有用周波数および情報共有用消防無線回線の個数は、かかる２個に限るものではなく、任意の個数を設定することができる。
【００９４】
最後に、消防指令制御装置１０の情報共有用音声ミキシング回路１１から送出されてきた情報共有用音声情報を受け取った消防デジタル無線回線制御装置２０は、図１１に示すように、受け取った情報共有用音声情報を、情報共有用周波数としてあらかじめ定めた消防デジタル無線の周波数の無線波として、当該広域災害事案ａに関連する各消防団員が所在する近傍の基地局無線装置に対して送出される（ステップＳ６）。
【００９５】
図１１は、図４に示すフローチャートのステップＳ６における消防指令システム１００の通信回線の使用状況を示す模式図である。その結果、各基地局無線装置それぞれの近傍の無線エリア内に所在している各消防団員は、それぞれが使用する消防デジタル無線送受信端末（無線機）の受信無線周波数を、情報共有用周波数としてあらかじめ定めた消防デジタル無線の周波数に合わせれば、各災害地点の消防士と司令員との間の通話情報を聴取することができる。
【００９６】
例えば、消防デジタル無線用の周波数Ｄ  ＨｚとＥ  Ｈｚとの２個が、情報共有用周波数として使用されている場合、図１１に示すように、第４基地局無線装置４０ｄの近傍に所在する消防団員は、消防デジタル無線送受信端末（無線機）の受信無線周波数を消防無線用周波数Ｄ  Ｈｚに合わせれば、第１災害地点の消防士と司令員とが消防デジタル無線の周波数Ａ  Ｈｚを使用して交信している音声情報、第２災害地点の消防士と司令員とが消防デジタル無線の周波数Ｂ  Ｈｚを使用して交信している音声情報、第３災害地点の消防士と司令員とが消防デジタル無線の周波数Ｃ  Ｈｚを使用して交信している音声情報、の全ての交信音声情報を聴取することができる。
【００９７】
なお、情報共有用周波数は、通常の消防デジタル無線の機能を有している周波数であるので、必要に応じて、消防団員が、所持している消防デジタル無線送受信端末（無線機）の通話ボタンのプレス操作を行うことにより、情報共有用周波数例えば消防無線用周波数Ｄ  Ｈｚを使用して、消防本部の司令員との間でプレストークを行うことも可能である。
【００９８】
また、以上の説明においては、情報共有用音声情報を広域災害事案ａに関連する消防団員が聴取する場合について説明したが、広域災害事案ａの各災害地点において消防救急活動中の消防士も、必要に応じて、それぞれが所持している消防デジタル無線送受信端末（無線機）の受信周波数を、情報共有用周波数に合わせる操作を行うことにより、情報共有用音声情報を聴取することが可能になる。
【００９９】
また、以上の説明においては、消防無線回線および消防無線交信音声引込用回線に関する消防デジタル無線の周波数が３個の場合について説明したが、本発明は、かかる個数に限定するものではなく、消防無線回線に関する消防デジタル無線の周波数と消防無線交信音声引込用回線に関する消防デジタル無線の周波数とが同数であれば、任意の個数であって構わない。また、情報共有用周波数としてあらかじめ定めた消防無線の周波数についても、前述したように、２個に限るものではなく、任意の個数であって構わない。
【０１００】
さらに、以上の説明においては、上下音声ミキシング回路２１を消防デジタル無線回線制御装置２０に配置し、情報共有用音声ミキシング回路１１を消防指令制御装置１０に配置した構成例を示しているが、本発明はかかる構成に限るものではなく、例えば、上下音声ミキシング回路２１と情報共有用音声ミキシング回路１１との双方を消防デジタル無線回線制御装置２０に配置するようにしても良いし、場合によっては、消防指令制御装置１０に配置するようにしても良い。さらには、上下音声ミキシング回路２１と情報共有用音声ミキシング回路１１とを一体化した構成とし、上下音声情報を生成するだけではなく、情報共有用音声情報を一気に生成する音声ミキシング回路（情報共有用音声ミキシング手段）として構成し、消防デジタル無線回線制御装置２０に配置するようにしても良いし、場合によっては、消防指令制御装置１０に配置するようにしても良い。
【０１０１】
（実施形態の効果の説明）
以上に詳細に説明したように、本実施形態においては、以下のような効果を奏することができる。
【０１０２】
第１の効果は、広域大規模災害発生の場合のように、複数の災害地点が同時に存在している場合であっても、複数の災害地点それぞれにおいて消防救急活動中の災害現場活動者（消防士）それぞれの間で、それぞれの災害情報を円滑に共有することができることにある。
【０１０３】
その理由は、各災害地点ごとに割り当てられている複数の消防デジタル無線の周波数それぞれを利用して各災害現場活動者（消防士）と司令員との間で送受信している音声情報を全て纏めた情報共有用音声情報を生成する仕組みを有しているからである。そして、生成した情報共有用音声情報を消防デジタル無線の情報共有用周波数としてあらかじめ定めた無線周波数を用いて、各災害現場活動者（消防士）が使用している消防デジタル無線送受信端末(無線機)に対して送出する仕組みを有しているからである。各災害現場活動者（消防士）は、使用している消防デジタル無線送受信端末(無線機)の周波数を該情報共有用周波数に合わせることにより、各災害地点それぞれにおいて災害現場活動者（消防士）と司令員との間で送受信されている全ての音声情報を一挙に取得することが可能であり、他の災害現場活動者（消防士）との間の情報共有を図ることができる。
【０１０４】
第２の効果は、地域の消防団の消防団員と消防本部の司令員および各災害地点の消防士との間の情報共有を円滑に行う仕組みを提供できることにある。
【０１０５】
その理由は、地域の消防団の消防団員と消防本部の司令員および各災害地点の消防士との間の情報伝達・連携の手段として、前述した消防デジタル無線の情報共有用周波数を利用することが可能になるからである。
【０１０６】
第３の効果は、広域大規模災害発生の場合のように、複数の災害地点が同時に存在している場合であっても、限られた無線リソースを最適に利用して、複数の災害地点それぞれにおいて消防救急活動中の情報の共有を図ることが可能になることにある。
【０１０７】
その理由は、前述した消防デジタル無線の情報共有用周波数を適切に利用可能な個数として設定した任意数使用することにより、各災害地点に対して複数の周波数を仮想的に割り当てることが可能となる仕組みを有しているからである。
【０１０８】
前述した本実施形態における効果について、図１２、図１３、図１４を用いてさらに補足して説明する。
【０１０９】
図１２、図１３、図１４は、いずれも、現状の消防救急活動における情報展開上の問題点を解決する手段を表現したものであるが、説明を簡単にするために、同時に発生している災害事案数は事案Ａ、事案Ｂの二種類であり、それぞれの災害事案ごとに、それぞれの災害事案に従事する消防士およびそれぞれの事案に関連する地域の消防団員が存在しているものとする。また、事案Ａ、事案Ｂそれぞれの消防活動を行っている消防士それぞれが使用する消防デジタル無線送受信端末（無線機）と消防本部（消防署）との間で送受信する無線波（すなわち活動波）は、第１消防無線波（第１消防無線回線用の周波数）、第２消防無線波（第２消防無線回線用の周波数）の二つの消防デジタル無線用の周波数を用いるものとする。
【０１１０】
ここで、図１２は、現状の消防救急活動における情報展開上の問題点を解決するに当たり想定される第１の解決手段を説明するための説明図である。図１３は、現状の消防救急活動における情報展開上の問題点を解決するに当たり想定される第２の解決手段を説明するための説明図である。また、図１４は、現状の消防救急活動における情報展開上の問題点を解決するために本実施形態において実施した解決手段の一例を説明するための説明図である。
【０１１１】
図１２に示す第１の解決手段は、消防本部（消防署）と地域の消防団との間の通話手段を、現状の携帯電話による通話方式から消防デジタル無線の通話方式に置き換えて、使用する消防デジタル無線の周波数も、消防団との通話専用の周波数として、事案Ａに関連する消防団用には第３消防無線波（第３消防無線回線用の周波数）を、事案Ｂに関連する消防団用には第４消防無線波（第４消防無線回線用の周波数）をそれぞれ割り当てるものである。図１２の場合の運用方法に関しては、現状の運用方法とほぼ同等であるが、特徴として以下が挙げられる。
【０１１２】
消防本部（消防署）の指令台と各消防デジタル無線送受信端末（無線機）との間の双方向音声通話は、同一の各無線周波数の配下でのみ通話音声の送受信が可能であるため、消防本部（消防署）から、事案Ａに関連する消防団員、事案Ｂに関連する消防団員それぞれへの情報伝達（情報展開）は、人手を介して、消防本部（消防署）の指令員の口頭により行うことが必要である。また、使用する消防デジタル無線用の周波数の総量は、現状の場合の２倍になる。すなわち、図１２に示すように、総無線数は、活動波数の２倍になる。
【０１１３】
次に、図１３に示す第２の解決手段は、消防本部（消防署）と地域の消防団との通話手段を、携帯電話から消防デジタル無線に置き換える他、さらに、該通話手段として、各災害事案に関連する消防団にも、各災害事案の消防活動に従事する消防士が消防救急活動用に利用している活動波である消防デジタル無線用の周波数を割り当てるものである。図１３の場合の特徴として以下がある。
【０１１４】
各災害事案に関連する消防団員が、それぞれの災害事案の消防救急活動している消防士と消防本部（消防署）の司令員との間の音声情報を直接聴取することが可能になる。しかし、消防団員が使用する消防デジタル無線送受信端末（無線機）の通話ボタンをプレス操作することによって送信される該消防団員の音声情報まで、消防救急活動中の消防士に聴取される状態になってしまうため、現場で活動中の消防士の消防救急活動に影響を与える可能性がある。なお、図１３の場合は、各災害事案において消防士が使用している消防デジタル無線用の周波数を消防団用としても利用するので、使用する消防デジタル無線用の周波数の総量は、現状の場合の同じである。すなわち、図１３に示すように、総無線数は活動波数と同じである。
【０１１５】
次に、図１４は、本発明の実施形態として説明した解決手段の一例を示すものであり、特徴として以下がある。
【０１１６】
本実施形態においては、消防活動用として用いる活動波である第１消防無線波（第１消防無線回線用の周波数）、第２消防無線波（第２消防無線回線用の周波数）の音声情報すなわち各災害事案ごとの消防デジタル無線用周波数の音声情報を全てミキシングして、情報共有用音声情報として生成する。そして、生成した情報共有用音声情報を情報共有用周波数としてあらかじめ定めた無線周波数（情報共有用消防無線波）を用いて、それぞれの災害事案に関連する消防団に送信している。したがって、各災害事案に関連する消防団員それぞれの消防デジタル無線送受信端末（無線機）において、情報共有用周波数に相当する消防デジタル無線の周波数を利用すれば、該情報共有用音声情報（第１消防無線波、第２消防無線波を用いた消防活動用の全ての音声情報）を自動的に聴取することができる。
【０１１７】
さらには、各災害事案の消防活動を行っている消防士の消防デジタル無線送受信端末（無線機）においても、該情報共有用周波数を利用すれば、自動的に該情報共有用音声情報を聴取することができる。また、情報共有用無線波（情報共有用周波数）を用いる情報共有用音声情報が、各災害事案毎の消防活動用の音声情報を扱う第１消防無線波、第２消防無線波にまで流出してしまうことを完全に防止することができる。
【０１１８】
また、消防本部（消防署）の指令員は、消防団員に聞かせたい災害事案や災害地点に対応する消防士と司令員との間の音声情報のみを指定して、該当する消防団員に聴取させることも可能である。なお、消防団員の消防デジタル無線送受信端末（無線機）の通話ボタンのプレス操作によって送信される該消防団員の音声情報は、消防団員と消防本部の指令員にのみ聴取させることが可能であり、現場で活動中の消防士に聴取されることはない。
【０１１９】
なお、図１４の場合、使用する消防無線用の周波数の総量は、情報共有用音声情報を送受信するための情報共有用周波数が必要になるので、現状の場合よりも少なくとも１個だけ多くなる。すなわち、図１４に示すように、総無線数は、活動波数に対して少なくとも‘＋１’だけ加算した数になる。また、情報共有用周波数の個数は、前述したように、必要に応じて、１以上の任意の個数にすることが可能である。
【０１２０】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【０１２１】
１ａ        第１消防無線回線
１ｂ        第２消防無線回線
１ｃ        第３消防無線回線
２ａ        第１消防無線交信音声引込用回線
２ｂ        第２消防無線交信音声引込用回線
２ｃ        第３消防無線交信音声引込用回線
３ａ        第１情報共有用消防無線回線
３ｂ        第２情報共有用消防無線回線
１０        消防指令制御装置
１１        情報共有用音声ミキシング回路
２０        消防デジタル無線回線制御装置
２１        上下音声ミキシング回路
２１ａ      第１上下音声ミキシング回路
２１ｂ      第２上下音声ミキシング回路
２１ｃ      第３上下音声ミキシング回路
３０        指令台
４０        基地局無線装置
４０ａ      第１基地局無線装置
４０ｂ      第２基地局無線装置
４０ｃ      第３基地局無線装置
４０ｄ      第４基地局無線装置
４０ｅ      第５基地局無線装置
１００      消防指令システム
１００Ａ    消防指令システム
【図１】
2020088869.tif 000003
【図２】
2020088869.tif 000004
【図３】
2020088869.tif 000005
【図４】
2020088869.tif 000006
【図５】
2020088869.tif 000007
【図６】
2020088869.tif 000008
【図７】
2020088869.tif 000009
【図８】
2020088869.tif 000010
【図９】
2020088869.tif 000011
【図１０】
2020088869.tif 000012
【図１１】
2020088869.tif 000013
【図１２】
2020088869.tif 000014
【図１３】
2020088869.tif 000015
【図１４】
2020088869.tif 000016
【図１５】
2020088869.tif 000017
【図１６】
2020088869.tif 000018